(57)【特許請求の範囲】
【請求項１】
固定部に取り付けられる照明支持部にワイヤを介して照明装置本体を吊り下げてなる吊り下げ型照明装置において、
前記照明支持部は、定トルク昇降装置を内蔵し、
前記定トルク昇降装置は、並列に設けられた第１及び第２のプーリと、これらのプーリにまたがってＳ字形をなすように巻回されたコイルバネと、前記第１及び第２のプーリの回転に連動して前記ワイヤの上端部を巻き上げ又は巻き戻す第３のプーリとを備え、前記照明装置本体を前記ワイヤを介して吊り下げたときに、前記コイルバネによって前記第１及び第２のプーリに生ずるトルクと前記照明装置本体の重量によって生ずるトルクとがバランスすることにより、前記照明装置本体を任意の吊り下げ位置に停止させるものであり、
前記照明支持部と前記照明装置本体との間を電気的に接続するための電源コードとしてカールコードを前記ワイヤに沿って配置してなり、
前記第１又は第２のプーリに巻回された前記コイルバネに摺接し、当該第１又は第２のプーリに巻回された前記コイルバネの巻回数が増えるにつれて制動力が増すように構成され、前記照明装置本体が前記カールコードのバネ作用によって上昇する向きの力を受け始める位置よりも前記照明装置本体が下側に位置したときに、前記カールコードのバネ力に相当する制動力を前記第１又は第２のプーリに付与することにより前記照明装置本体を任意の位置に停止させる制動手段を備えたことを特徴とする吊り下げ型照明装置。
【請求項２】
前記制動手段は、前記第１又は第２のプーリに巻回された前記コイルバネに先端部が摺接する板バネからなる、請求項１記載の吊り下げ型照明装置。
【請求項３】
前記照明装置本体を構成するグローブとほぼ同様の重量を有し、その重心位置が基端側に配置され、先端側に前記照明装置本体に係合する係合部を有する、請求項１又は請求項２記載の吊り下げ型照明装置に使用される前記照明装置本体を上げ下げするためのメンテナンス棒。
【発明の詳細な説明】
【０００１】
【発明の属する技術分野】
この発明は、吹き抜け等の高い天井から吊り下げられる吊り下げ型照明装置に関し、特にメンテナンスが容易な吊り下げ型照明装置に関する。
【０００２】
【従来の技術】
近年、敷地面積を有効に利用した３階建て住宅が普及し、階段ホールや吹き抜けの天井までの高さが７ｍを超える住宅も建築されるようになってきた。このような高い天井に吊り下げられる照明装置では、電球交換やカサの掃除等が困難で業者に作業を依頼するケースが多い。
そこで、このように高い天井に固定されて照明装置本体をワイヤ等で支持する支持部材に電動式の昇降装置を内蔵させ、照明装置本体をモータによって昇降させるようにした昇降機能付き照明装置も提供されている。
【０００３】
【発明が解決しようとする課題】
しかし、従来の昇降機能付き照明装置は、電動式であるため高価であり、高い天井にモータを埋め込む必要があるため、取り付け作業も煩雑であるという問題がある。
この発明は、このような問題点を考慮してなされたもので、低コストで且つ取り付け作業も容易なメンテナンス性に優れた吊り下げ型照明装置を提供することを目的とする。
この発明は、またそのような吊り下げ型照明装置のメンテナンスに適用されるメンテナンス棒を提供することを他の目的とする。
【０００４】
【課題を解決するための手段】
本発明は、固定部に取り付けられる照明支持部にワイヤを介して照明装置本体を吊り下げてなる吊り下げ型照明装置において、前記照明支持部が定トルク昇降装置を内蔵し、前記定トルク昇降装置が、並列に設けられた第１及び第２のプーリと、これらのプーリにまたがってＳ字形をなすように巻回されたコイルバネと、前記第１及び第２のプーリの回転に連動して前記ワイヤの上端部を巻き上げ又は巻き戻す第３のプーリとを備え、前記照明装置本体を前記ワイヤを介して吊り下げたときに、前記コイルバネによって前記第１及び第２のプーリに生ずるトルクと前記照明装置本体の重量によって生ずるトルクとがバランスすることにより、前記照明装置本体を任意の吊り下げ位置に停止させるものであることを特徴とする。
【０００５】
前記照明支持部と前記照明装置本体との間を電気的に接続するための電源コードとしては、例えばカールコードを前記ワイヤに沿って配置することができる。この場合、前記照明装置本体が前記カールコードのバネ作用によって上昇する向きの力を受け始める位置よりも前記照明装置本体が下側に位置したときに、前記カールコードのバネ力に相当する制動力を前記第１又は第２のプーリに付与することにより前記照明装置本体を任意の位置に停止させる制動手段を更に備えるようにすることが望ましい。
【０００６】
また、本発明に適用されるメンテナンス棒として、前記照明装置本体を構成するグローブとほぼ同様の重量を有し、その重心位置が基端側に配置され、先端側に前記照明装置本体に係合する係合部を有するものを用いるとよい。
【０００７】
本発明によれば、天井等の固定部に取り付けられる照明支持部に定トルク昇降装置が内蔵され、この定トルク昇降装置を構成する第１及び第２のプーリに生ずるコイルバネの復元力によるトルクと、照明装置本体の重量により前記第１及び第２のプーリに生ずるトルクとが丁度バランスするので、照明装置本体を任意の位置に停止させることができる。このため、照明装置本体が高い位置から吊り下げられていても、棒状体等を用いて照明装置本体を手の届く位置まで下方に引き下げれば、その位置で照明装置本体が停止するので、電球の取り替えやカサの掃除等の作業が極めて容易に行えることになる。メンテナンス作業が終了したら、照明装置本体を軽く上に押し上げれば、元の高さまで容易に上昇させることができる。定トルク昇降装置のトルクと照明装置本体の重量によるトルクとがバランスしているために、このような照明装置本体の上げ下げ作業は、極めて弱い力で行えることになる。
【０００８】
電源コードとしてカールコードをワイヤと同軸に配置すれば、照明装置本体がどのような位置にあってもカールコードがワイヤに沿って伸び縮みするので、電源コードが昇降動作の邪魔になったり、美観が損なわれることがない。但し、この場合、カールコードの全長がある程度まで延びると、カールコードがバネとして作用して照明装置本体を上に引き上げようとする。従って、このような場合には、カールコードのバネ力に相当する制動力を第１及び第２のプーリに付与すれば、照明装置本体が上昇するのを防止することができる。
【０００９】
また、照明装置本体の内部の電球等を交換するような場合、外側のグローブを取り外すことがある。この場合、照明装置本体の重量が変化して定トルク昇降装置のトルクとのバランスが崩れ、照明装置本体が上昇してしまうことが考えられるが、照明装置本体を引き下ろすためのメンテナンス棒をグローブとほぼ同様の重量とし、メンテナンス棒を照明装置本体に引っ掛けて吊り下げた状態にしておけば、グローブを外した状態でも照明装置本体が任意の位置に停止するので、メンテナンス作業が容易になる。メンテナンス棒の重心を基端側に配置すれば、照明装置本体の上げ下げ作業も苦にならない。
【００１０】
【発明の実施の形態】
以下、添付の図面を参照して本発明の好ましい実施の形態について説明する。
図１は、本発明の一実施例に係る吊り下げ型照明装置の外観斜視図である。
この照明装置１は、吹き抜けや階段ホール等の比較的高い天井２（固定部）に取り付けられ、天井２に固定された照明支持部３に、ワイヤ４を介して照明装置本体５を吊り下げると共に、天井２から引き出された電源ラインと照明装置本体５との間をワイヤ４に沿って配置されたカールコード６によって電気的に接続したものである。
照明装置本体５は、ワイヤ４の下端部に固定された上部カバー１１と、この上部カバー１１の下面に支持されてカールコード６を介して電源ラインからの電力が供給されるソケット１２と、このソケット１２に装着された電球１３と、この電球１３を内部に収容し、上部カバー１１に取り付ける球状のグローブ１４とにより構成されている。
【００１１】
照明支持部３は、図２にその分解斜視図を示すように、取付板２１、支持部カバー２２及び定トルク昇降装置２３を備えて構成されている。円板状の取付板２１は、木ねじ２４によって天井２に固定され、その中央部に天井２から引き出された電源線２５を通す孔２６を形成してなる。取付板２１の下面周縁部の相対する位置には、一対のビス２７が下方に向けて立設されている。支持部カバー２２は、内部に定トルク昇降装置２３を収納支持し、底部に設けた一対の孔２８にビス２７の先端を挿入し、その先端にローレットナット２９を螺合することにより、取付板２１に固定される。また、支持部カバー２２の底部には、定トルク昇降装置２３から延びるワイヤ４及びカールコード６を通すスリット３０が形成されている。
【００１２】
定トルク昇降装置２３は、Ｌ字型のブラケット３１，３２を筐体状に組み合わせた内部に構成されている。図３は、定トルク昇降装置２３の一部を切り欠いて示した図で、同図（ａ）は正面図、同図（ｂ）は平面図である。
即ち、ブラケット３１の垂直立ち上げ部３３には、第１のプーリ３４と、第２のプーリ３５とが並列に回転自在に支持されている。これら第１及び第２のプーリ３４，３５には、板バネからなるのコイルバネ３６がＳ字形をなすように巻回されている。ブラケット３１の水平支持部３７には、板バネからなる制動バネ３８がねじ３９によって固定されている。この制動バネ３８の先端部は、第１のプーリ３４に巻回されたコイルバネ３６に摺接し、第１のプーリ３４に巻回されるコイルバネ３６の巻回数が増えるにつれて制動力が増すように構成されている。
【００１３】
一方、第１のプーリ３３と一体且つ同軸的に第３のプーリ４０が設けられている。この第３のプーリ４０には、ワイヤ４の上端側が、コイルバネ３６とは反対向きに巻回される。ワイヤ４は、ブラケット３１の水平支持部に形成されたスリット４１を通り下側に導かれている。
【００１４】
ブラケット３１の水平支持部３７は、スリット３０の位置とスリット４１の位置とが合致するように支持部カバー２２の底面内側にねじ４２によって固定される。ブラケット３１と支持部カバー２２の間には、スリット３０，４１の幅よりも大径のストッパ座金４３が介挿される。一方、ワイヤ４には可変ストッパ４４が装着され、この可変ストッパ４４がストッパ座金４３に当接するように構成されている。
【００１５】
また、図２に示すように、カールコード６の上端は、スリット３０，４１を介してブラケット３１，３２の内側に導かれ、ブラケット３２の側面に形成された孔４５を介して定トルク昇降装置２３の外部に引き出されている。引き出されたカールコード６の端部は、コードクランプ４６によってブラケット３２に固定されたのち、ブラケット３２の側面に装着された端子台４７の一方の端部に接続されている。端子台４７の他方の端部には電源線２５が接続される。
【００１６】
次に、図４を参照して定トルク昇降装置２３の動作について説明する。
プーリ３４，３５に巻回されたコイルバネ３６を構成する板バネは、図中点線で示すように、一定の曲率Ｒを保つように焼き入れされている。この板バネは、曲率Ｒとは反対方向に曲げられた状態で第１のプーリ３４に、また曲率Ｒと同一方向に曲げられた状態で第２のプーリ３５にそれぞれコイル状に巻かれている。従って、コイルバネ３６が曲率Ｒを保とうとする力の反力によって、第１及び第２のプーリ３４，３５には回転トルクＴ1 ，Ｔ2 がそれぞれ発生する。これらのトルクＴ1 ，Ｔ2 は、コイルバネ３６の曲率Ｒに依存するから、第１及び第２のプーリ３４，３５に巻かれたコイルバネ３６の巻き回数に拘わらず、常に一定となる。一方、第１のプーリ３４には、照明装置本体５の重量に相当するトルクＴ3 が生じ、このトルクＴ3 とトルクＴ1 ，Ｔ2 とは、丁度逆向きのトルクとなるので、両者が丁度バランスするようにコイルバネ３６の厚み、曲率Ｒなどを設定すれば、照明装置本体５はいずれの高さにあっても停止することになる。照明装置本体５が約２ｋｇであれば、定トルク昇降装置２３は、照明装置本体５を約１．８ｋｇで常時引っ張るような構成とすればよい。
【００１７】
図５は、この照明装置に適用されるメンテナンス棒５１を示す図である。
このメンテナンス棒５１は、収納の便を考慮して、基端ロッド５２、中間ロッド５３及び先端ロッド５４に分割可能になっており、これらがジョイント部５５，５６を介して結合されて任意の長さ、例えば３ｍ程の長さになるように構成されている。基端ロッド５２には、ウェート５７が設けられている。このウェート５７は、メンテナンス棒５１の重量が照明装置本体５のグローブ１４とほぼ同様の重量となるように、また操作性を考慮してメンテナンス棒５１の重心が基端ロッド５２の基端部に位置するように、その重量が決定されたものである。先端ロッド５４は、曲げ延ばしが自由な可撓性部材により構成される。
【００１８】
次に、図６及び図７に従って、実際に照明装置本体５の電球交換を行う場合の手順について説明する。
まず、図６（ａ）に示すように、照明装置本体５の上端部にメンテナンス棒５１の先端の曲げた部分を引っかけて照明装置本体５を下に引き下ろす。照明装置本体５は、定トルク昇降装置２３に支持されている関係で、いずれの位置にも停止可能であるが、図６（ｂ）に示すように、ある一定の高さまで引き下げられると、カールコード６がバネとして作用し、照明装置本体５を上に引き上げようとする。しかしこのとき、定トルク昇降装置２３の第１のプーリ３４に巻回されたコイルバネ３６の巻径が大きくなっているために、制動バネ３８の制動力も増し、照明装置本体５の上昇を防止する。なお、制動バネ３８は、第２のプーリ３５側に設けられていてもよい。図６（ｃ）に示すように、電球交換可能な位置まで照明装置本体５が引き下げられたら、図６（ｄ）に示すように、グローブ１４を外し、中の電球を交換する。このとき、メンテナンス棒５１を照明装置本体５の上部カバー１１に引っかけたままにしておけば、グローブ１４を外しても照明装置本体５が上に引き上げられることはないので、作業は容易に行える。
【００１９】
電球の交換作業が終了したら、図７に示すように、メンテナンス棒５１の先端で照明装置本体５を下から上に軽く押し上げれば、照明装置本体５は、可変ストッパ４４とストッパ座金４３とが当接する位置まで引き上げられる。
可変ストッパ４４は、例えば図８に示すように、割れネジ６１の中心孔にワイヤ４を通し、締め付けネジ６２を割れネジ６１に締め込むことにようにしたもので、ワイヤ４の任意の位置に位置決めすることができる。
また、定トルク昇降装置２３及び支持部カバー２２には、スリット４１，３０がそれぞれ設けられているので、傾斜天井に吊り下げられた場合でも、常にワイヤ４が鉛直方向に向くように照明装置本体５を吊り下げることができる。
【００２０】
【発明の効果】
以上述べたように、本発明によれば、天井等の固定部に取り付けられる照明支持部に定トルク昇降装置が内蔵され、この定トルク昇降装置を構成する第１及び第２のプーリに生ずるコイルバネの復元力によるトルクと、照明装置本体の重量により前記第１及び第２のプーリに生ずるトルクとが丁度バランスするので、照明装置本体を任意の位置に停止させることができ、照明装置本体のメンテナンス作業が極めて容易に行えるという効果を奏する。
【図面の簡単な説明】
【図１】  本発明の一実施例に係る吊り下げ型照明装置を示す斜視図である。
【図２】  同装置の要部を示す分解斜視図である。
【図３】  同装置の定トルク昇降装置の詳細を示す正面図及び平面図である。
【図４】  同装置の定トルク昇降装置の作用を説明するための図である。
【図５】  同装置に使用されるメンテナンス棒を示す図である。
【図６】  同装置のメンテナンスの手順を説明するための図である。
【図７】  同装置のメンテナンスの手順を説明するための図である。
【図８】  同装置における可変ストッパの構成を示す分解斜視図である。
【符号の説明】
１…吊り下げ型照明装置、２…天井、３…照明支持部、４…ワイヤ、５…照明装置本体、６…カールコード、１１…上部カバー、１２…ソケット、１３…電球、１４…グローブ、２１…取付板、２２…支持部カバー、２３…定トルク昇降装置、３４…第１のプーリ、３５…第２のプーリ、３６…コイルバネ、３８…制動バネ、４０…  第３のプーリ。
【図１】
0003934702.tif 000002
【図２】
0003934702.tif 000003
【図３】
0003934702.tif 000004
【図４】
0003934702.tif 000005
【図５】
0003934702.tif 000006
【図６】
0003934702.tif 000007
【図７】
0003934702.tif 000008
【図８】
0003934702.tif 000009